(57)【要約】【課題】被照射面に対して斜めに配置されている場合に、被照射面のより遠くに光を出射することが可能であるとともに、被照射面に光を均一に照射することが可能な光束制御部材を提供すること。【解決手段】光束制御部材１６０の入射領域１６２は、平面視において扇形の第一レンズ領域１０と第二レンズ領域５０とを含む。第一レンズ領域１０は、複数の第一突起１７２を含む。第一突起１７２の第一傾斜面１７４の、第一断面における角度θ１１と、第一断面に直交する方向の第二断面における角度θ２１は、ともに０°よりも大きく、また、第二傾斜面１７６の、第二断面における角度θ１２は、第二断面における角度θ２２よりも大きい。これらの角度は、配列する発光装置間の距離や発光装置から被照射面までの距離などに応じて決められる。【選択図】図４
2015018733.tif 000002
【特許請求の範囲】
【請求項１】
発光素子から出射された光の配光を制御する光束制御部材であって、
前記発光素子から出射された光を入射させる入射領域と、
前記入射領域から入射した光を出射させる出射領域と、を有し、
前記入射領域は、平面視形状がそれぞれ扇形である、第一レンズ領域と第二レンズ領域とを含み、
前記第一レンズ領域は、前記発光素子から出射された光の一部を入射させる第一傾斜面および前記第一傾斜面から入射した光を前記出射領域に向けて反射させる第二傾斜面を有する、平面視形状が弧状の突起を含み、
前記第二レンズ領域は、前記発光素子から出射された光の他の一部を入射させ、入射した光を前記出射領域に向かわせ、
前記第一レンズ領域の前記扇形および前記第二レンズ領域の前記扇形のそれぞれの半径の交点を通り、前記入射領域を平面視する方向に平行な直線を前記光束制御部材の中心軸とし、
前記中心軸を含み前記突起の弧の中心を通る第一平面で前記突起を一箇所で切断したときの断面を第一断面とし、前記中心軸を含み前記第一平面と交わる第二平面で前記突起を切断したときの断面を第二断面とし、
前記第一断面において、前記中心軸に平行な直線によって分けられた前記突起の頂角のうち、前記直線に対して前記第一傾斜面がなす角をθ１１、前記第二傾斜面がなす角をθ１２とし、
前記第二断面において、前記直線によって分けられた前記突起の頂角のうち、前記直線に対して前記第一傾斜面がなす角をθ２１、前記第二傾斜面がなす角をθ２２としたときに、
前記θ１１の角度および前記θ２１の角度は、いずれも、０°よりも大きく、
前記θ１２の角度は、前記θ２２の角度よりも大きい、
光束制御部材。
【請求項２】
前記第一レンズ領域の前記扇形の中心角は、１８０°よりも大きく、前記第二レンズ領域の前記扇形の中心角は、１８０°よりも小さい、請求項１に記載の光束制御部材。
【請求項３】
前記第一レンズ領域の形状および前記第二レンズ領域の形状は、いずれも、前記第一平面に対して面対称の形状である、請求項１に記載の光束制御部材。
【請求項４】
前記突起の湾曲する方向において、前記頂角の角度は、一定である、請求項１に記載の光束制御部材。
【請求項５】
前記第二レンズ領域は、前記発光素子から出射された光の他の一部を入射させる第三傾斜面および前記第三傾斜面から入射した光を前記出射領域に向けて反射させる第四傾斜面を有する、平面視形状が弧状の突起を含む、請求項１に記載の光束制御部材。
【請求項６】
前記第二レンズ領域の前記突起は、前記出射領域に対して平行に配置され、
前記第一レンズ領域の前記突起の稜線は、前記出射領域に対して斜めに配置されている、
請求項５に記載の光束制御部材。
【請求項７】
前記第二レンズ領域の前記突起の平面視形状は、前記中心軸を前記突起の平面視形状の曲率中心とする円弧状であり、
前記第一レンズ領域の前記突起の平面視形状の曲率中心は、平面視したときの前記第一レンズ領域内にある、
請求項６に記載の光束制御部材。
【請求項８】
請求項１〜７のいずれか一項に記載の光束制御部材と、発光素子とを有し、
前記発光素子の光軸は、前記中心軸と一致する、
発光装置。
【請求項９】
請求項８に記載の発光装置と、平面状の被照射面と、を有し、
前記発光装置は、前記発光素子の光軸と前記被照射面とが鋭角に交わり、かつ前記第一レンズ領域よりも前記第二レンズ領域が前記被照射面に近くなるように配置されている、
照明装置。
【発明の詳細な説明】
【技術分野】
【０００１】
本発明は、発光素子から出射された光の配光を制御する光束制御部材に関する。また、本発明は、前記光束制御部材を有する発光装置、および前記発光装置を有する照明装置に関する。
【背景技術】
【０００２】
近年、省エネルギーの観点から、照明用の光源として、蛍光灯やハロゲンランプなどに代わり、発光ダイオード（以下「ＬＥＤ」という）が使用されるようになってきている。このようなＬＥＤを光源とする発光装置は、用途によっては被照射面の直上ではなく、被照射面に対して斜めに配置されることがある。
【０００３】
たとえば、屋内に設置した栽培棚を使用して植物を栽培する場合、棚板に対して斜めに発光装置を配置して、棚板の上に配置された植物を照らすことがある。このように発光装置を平面状の被照射面に対して斜めに配置する場合、発光装置としてＬＥＤをそのまま使用すると、ＬＥＤから出射される光の多くは被照射面に向かわない不要光となってしまうため、被照射面を効率的に照らすことができない。また、作業者の目に不要光が入るため、作業者が作業しにくくなる。上記問題を解消する手段としては、ＬＥＤから出射された光の配光を制御するレンズをＬＥＤと組み合わせて使用することが考えられる（例えば、特許文献１参照）。
【０００４】
特許文献１には、平面状の被照射面と、被照射面に平行な直線上に一列に配置された複数のＬＥＤと、複数のＬＥＤを覆う１つの複合レンズとを有する照明装置が記載されている。特許文献１の照明装置では、ＬＥＤの発光面および複合レンズの出射面がいずれも被照射面に対して垂直になるように、複数のＬＥＤおよび複合レンズが配置されている。ＬＥＤの配列方向に直交する方向の複合レンズの断面形状は、複合レンズのどの点においても同じである。また、複合レンズの入射領域（ＬＥＤと対向する領域）の形状は、ＬＥＤの光軸を通り、かつＬＥＤの配列方向に平行な平面に対して非対称である。このように、特許文献１に記載の照明装置は、複合レンズの形状が被照射面側と反被照射面側とで非対称であるため、被照射面の直上に配置されていなくても、被照射面をある程度均一に照らすことができる。
【先行技術文献】
【特許文献】
【０００５】
【特許文献１】特開２００８−１５３１５４号公報
【発明の概要】
【発明が解決しようとする課題】
【０００６】
一方、当該照明装置は、照明装置の構造上の理由や被照射物の性質などの理由により、発光装置を被照射面に対して上記の垂直の位置関係に配置できない場合がある。この場合、発光装置は、被照射面に対して斜めに配置されることがある。特許文献１の照明装置を被照射面に対して斜めに配置した場合では、被照射面の光源近傍の部分が明るくなり過ぎ、かつ被照射面の光源から遠い部分の明るさが不十分となるおそれがある。
【０００７】
本発明の目的は、被照射面に対して斜めに配置されている場合に、被照射面のより遠くに光を出射することが可能であるとともに、被照射面に光を均一に照射することが可能な光束制御部材を提供することである。また、本発明の目的は、当該光束制御部材を有する発光装置および照明装置を提供することである。
【課題を解決するための手段】
【０００８】
本発明の光束制御部材は、発光素子から出射された光の配光を制御する光束制御部材であって、前記発光素子から出射された光を入射させる入射領域と、前記入射領域から入射した光を出射させる出射領域と、を有し、前記入射領域は、平面視形状がそれぞれ扇形である、第一レンズ領域と第二レンズ領域とを含み、前記第一レンズ領域は、前記発光素子から出射された光の一部を入射させる第一傾斜面および前記第一傾斜面から入射した光を前記出射領域に向けて反射させる第二傾斜面を有する、平面視形状が弧状の突起を含み、前記第二レンズ領域は、前記発光素子から出射された光の他の一部を入射させ、入射した光を前記出射領域に向かわせ、前記第一レンズ領域の前記扇形および前記第二レンズ領域の前記扇形のそれぞれの半径の交点を通り、前記入射領域を平面視する方向に平行な直線を前記光束制御部材の中心軸とし、前記中心軸を含み前記突起の弧の中心を通る第一平面で前記突起を一箇所で切断したときの断面を第一断面とし、前記中心軸を含み前記第一平面と交わる第二平面で前記突起を切断したときの断面を第二断面とし、前記第一断面において、前記中心軸に平行な直線によって分けられた前記突起の頂角のうち、前記直線に対して前記第一傾斜面がなす角をθ１１、前記第二傾斜面がなす角をθ１２とし、前記第二断面において、前記直線によって分けられた前記突起の頂角のうち、前記直線に対して前記第一傾斜面がなす角をθ２１、前記第二傾斜面がなす角をθ２２としたときに、前記θ１１の角度および前記θ２１の角度は、いずれも、０°よりも大きく、前記θ１２の角度は、前記θ２２の角度よりも大きい。
【０００９】
本発明の発光装置は、上記の光束制御部材と、発光素子とを有し、前記発光素子の光軸は、前記中心軸と一致する。
【００１０】
本発明の照明装置は、上記の発光装置と、平面状の被照射面と、を有し、前記発光装置は、前記発光素子の光軸と前記被照射面とが鋭角に交わり、かつ前記第一レンズ領域よりも前記第二レンズ領域が前記被照射面に近くなるように配置されている。
【発明の効果】
【００１１】
本発明の光束制御部材は、被照射面に対して斜めに配置されている場合に、発光素子から入射した光を、出射領域から被照射面のより遠くに、均一に出射することができる。また、本発明の発光装置は、被照射面に対して斜めに配置されている場合に、被照射面を、より遠くまで、均一に照らすことができる。さらに、本発明の照明装置は、被照射面のより遠くに光を出射することができ、かつ、被照射面に光を均一に照射することができる。
【図面の簡単な説明】
【００１２】
【図１】図１Ａは、本発明の一実施形態の照明装置の構成を模式的に示す図であり、図１Ｂは、上記照明装置の平面視したときの構成を模式的に示す図である。
【図２】本発明の一実施形態の発光装置の構成を示す図である。
【図３】図３Ａは、本発明の一実施形態の光束制御部材の平面図であり、図３Ｂは、上記光束制御部材の底面図であり、図３Ｃは、上記光束制御部材の、図３ＢのＣ−Ｃ線に沿っての断面を示す図であり、図３Ｄは、上記光束制御部材の、図３ＢのＤ−Ｄ線に沿っての断面を示す図であり、図３Ｅは、上記光束制御部材の、図３ＢのＥ−Ｅ線に沿っての断面を示す図である。
【図４】図４Ａは、図３Ｃの破線部を拡大して示す図であり、図４Ｂは、本実施形態の光束制御部材の、図３ＢのＤ−Ｄ線に沿っての断面を拡大して示す図であり、図４Ｃは、本実施形態の光束制御部材の、図３ＢのＥ−Ｅ線に沿っての断面を拡大して示す図である。
【図５】本実施形態の発光装置の出射方向の照度を相対強度で示すグラフである。
【図６】図６Ａは、本実施形態の照明装置における、片側に配置された発光装置の出射光の光路を模式的に示す図であり、図６Ｂは、上記照明装置における、両側に配置された発光装置の出射光の光路を模式的に示す図である。
【図７】図７Ａは、本実施形態の照明装置の、発光装置の高さがｈ１となる位置の被照射面の照度分布を示す図であり、図７Ｂは、本実施形態の照明装置の、発光装置の高さがｈ２となる位置の被照射面の照度分布を示す図である。
【図８】図８Ａは、比較用光束制御部材の平面図であり、図８Ｂは、上記光束制御部材の底面図であり、図８Ｃは、上記光束制御部材の、図８ＢのＣ−Ｃ線に沿っての断面を示す図であり、図８Ｄは、上記光束制御部材の、図８ＢのＤ−Ｄ線に沿っての断面を示す図である。
【図９】比較用発光装置の出射方向の照度を相対強度で示すグラフである。
【図１０】図１０Ａは、比較用の照明装置の、発光装置を高さがｈ１となる位置の被照射面の照度分布を示す図であり、図１０Ｂは、比較用の照明装置の、発光装置を高さがｈ２となる位置の被照射面の照度分布を示す図である。
【図１１】図１１Ａは、本実施形態の照明装置および比較用照明装置における、発光装置を高さｈ１に配置したときの被照射面の、発光装置の対向方向の照度分布を示す図であり、図１１Ｂは、本実施形態の照明装置および比較用照明装置における、発光装置を高さｈ２に配置したときの被照射面の、発光装置の対向方向の照度分布を示す図である。
【図１２】図１２Ａは、本発明の実施形態に含まれる照明装置における、第一レンズ領域の傾きが異なる発光装置のそれぞれの高さをｈ１としたときの被照射面の、発光装置の対向方向の照度分布を示す図であり、図１２Ｂは、本発明の実施形態に含まれる照明装置における、第一レンズ領域の傾きが異なる発光装置のそれぞれの高さをｈ２としたときの被照射面の、発光装置の対向方向の照度分布を示す図である。
【発明を実施するための形態】
【００１３】
以下、本発明の実施の形態について、図面を参照して詳細に説明する。
【００１４】
図１は、本実施の形態における照明装置１９０の構成を示す図である。図１Ａは、照明装置１９０の側面図であり、図１Ｂは、照明装置１９０の平面図である。図１に示されるように、照明装置１９０は、複数の発光装置１００と、平面状の被照射面１９２とを有する。発光装置１００は、光束制御部材１６０および不図示の発光素子を含む。
【００１５】
発光装置１００は、被照射面１９２の一対の辺の直上に、一列に配置されている。当該列には、六個の発光装置１００が配置されている。各列の発光装置１００は、等間隔で配置されている。なお、発光装置１００が配列する方向をＸ方向とし、発光装置１００が対向する方向をＹ方向とする。
【００１６】
各発光装置１００は、被照射面１９２から所定の高さとなるように、かつ被照射面１９２および発光素子（図２中の符号１４０）の光軸ＬＡが角度θ３（例えば４５°）で交わるように、基板１２０によって支持される。各発光装置１００の被照射面１９２からの高さは、自在に調整可能である。なお、被照射面１９２と、光軸ＬＡとが交わる角度θ３は、特に限定されず、０°超かつ９０°未満であって、被照射面１９２の照度の均一性が高くなるような角度に調整される。
【００１７】
図２は、発光装置１００の断面図である。図２では、発光装置１００が基板１２０上に固定されている様子を図示している。
【００１８】
図２に示されるように、発光装置１００は、発光素子１４０と、光束制御部材１６０とを有する。発光素子１４０は、例えば白色発光ダイオードなどの発光ダイオード（ＬＥＤ）である。光束制御部材１６０は、発光素子１４０から出射された光の配光を制御する。光束制御部材１６０は、発光素子１４０に対して、発光素子１４０の光軸ＬＡが光束制御部材１６０の中心軸ＣＡと一致するように、配置される。
【００１９】
図３および図４は、本実施の形態における光束制御部材１６０の構成を示す図である。図３Ａは、光束制御部材１６０の平面図であり、図３Ｂは、光束制御部材１６０の底面図である。図３Ｃは、図３ＢにおけるＣ−Ｃ線に沿っての光束制御部材１６０の断面図であり、図３Ｄは、図３ＢにおけるＤ−Ｄ線に沿っての光束制御部材１６０の断面図であり、図３Ｅは、図３ＢにおけるＥ−Ｅ線に沿っての光束制御部材１６０の断面図である。図４Ａは、図３Ｃの破線部を拡大して示す図であり、図４Ｂは、光束制御部材１６０の、Ｄ−Ｄ線に沿っての断面を拡大して示す図であり、図４Ｃは、光束制御部材１６０の、Ｅ−Ｅ線に沿っての断面を拡大して示す図である。
【００２０】
図３および図４に示されるように、光束制御部材１６０は、発光素子１４０から出射された光を入射させる入射領域１６２と、入射領域１６２の反対側に位置し、入射領域１６２から入射した光を出射させる出射領域１６４と、入射領域１６２および出射領域１６４を位置決めする筒部１６６とを有する。
【００２１】
光束制御部材１６０は、有底の円筒のような形状をしている。底板に相当する円形の板状部の一方の面（円筒の内部に対向する面）が入射領域１６２であり、他方の面が出射領域１６４である。筒部１６６の形状は、略円筒形状である。筒部１６６は、上記板状部を入射領域１６２側から支持している。
【００２２】
光束制御部材１６０は、一体成形により形成されている。光束制御部材１６０の材料は、所望の波長の光を通過させるものであれば特に限定されない。たとえば、光束制御部材１６０の材料は、ポリメタクリル酸メチル（ＰＭＭＡ）やポリカーボネート（ＰＣ）、エポキシ樹脂（ＥＰ）などの光透過性樹脂、またはガラスである。
【００２３】
入射領域１６２は、発光素子１４０から出射された光の一部を光束制御部材１６０に入射させる領域である。入射領域１６２は、発光装置１００において発光素子１４０と対向する光束制御部材１６０の対向部（出射領域１６４の反対側に位置する）に形成される。
【００２４】
光束制御部材１６０の中心軸ＣＡは、光束制御部材１６０の幾何学的な中心軸である。たとえば、本実施形態における中心軸ＣＡは、入射領域１６２の平面視形状（円形）の中心を通り、また、筒部１６６の中心軸でもある。
【００２５】
入射領域１６２は、第一レンズ領域１０および第二レンズ領域５０を含む。第一レンズ領域１０および第二レンズ領域５０の平面視形状は、それぞれ扇形である。中心軸ＣＡは、光束制御部材１６０の平面視形状の正投影面に直交し、前記扇形の二辺の交点を通る直線である。すなわち、中心軸ＣＡは、第一レンズ領域１０の上記扇形および第二レンズ領域５０の上記扇形のそれぞれの半径の交点を通り、入射領域１６２を平面視する方向に平行な直線である。本実施の形態において、第一レンズ領域１０の平面視形状における扇形の中心角は、２２０°である。第二レンズ領域５０の平面視形状における扇形の中心角は、１４０°である。
【００２６】
第一レンズ領域１０は、平面視形状が弧状の複数の第一突起１７２を含む。第一突起１７２のそれぞれは、発光素子１４０から出射された光の一部を入射させる第一傾斜面１７４と、第一傾斜面１７４から入射した光を出射領域１６４に向けて反射させる第二傾斜面１７６とを有する。
【００２７】
ここで、図３Ｃおよび図４Ａに示される、光束制御部材１６０の図３ＢのＣ−Ｃ線に沿う断面を第一断面とする。第一断面は、中心軸ＣＡおよび第一突起１７２の弧の中央を含む。また、図３Ｄおよび図４Ｂに示される、光束制御部材１６０の図３ＢのＤ−Ｄ線に沿う断面を第二断面（Ｉ）とする。第二断面（Ｉ）は、中心軸ＣＡを含みＣ−Ｃ線に直交する。第一断面および第二断面（Ｉ）は、中心軸ＣＡを含み、互いに直交する。さらに、図３Ｅおよび図４Ｃに示される、光束制御部材１６０の図３ＥのＥ−Ｅ線に沿う断面を第二断面（II）とする。第二断面（II）は、中心軸ＣＡを含みＣ−Ｃ線とで交わる。第二断面（II）とＣ−Ｃ線との交差角度は４５°である。第一断面および第二断面（II）は、中心軸ＣＡを含み、互いに４５°で交わる。第二断面（Ｉ）および第二断面（II）も、中心軸ＣＡを含み、互いに４５°で交わる。
【００２８】
また、図４Ａに示されるように、上記第一断面において、第一突起１７２の頂角を、θ１１およびθ１２の二つの角に、中心軸ＣＡに平行な直線Ｌ１によって分ける。θ１１は、直線Ｌ１に対して第一傾斜面１７４がなす角であり、θ１２は、直線Ｌ１に対して第二傾斜面１７６がなす角である。また、図４Ｂに示されるように、上記第二断面（Ｉ）において、第一突起１７２の頂角を、θ２１およびθ２２の二つの角に、中心軸ＣＡに平行な直線Ｌ１によって分ける。さらに、図４Ｃに示されるように、上記第二断面（II）においても同様に、第一突起１７２の頂角を、θ2１およびθ2２の二つの角に、中心軸ＣＡに平行な直線Ｌ１によって分ける。上記第二断面（II）においても、θ2１は、直線Ｌ１に対して第一傾斜面１７４がなす角であり、θ2２は、直線Ｌ１に対して第二傾斜面１７６がなす角である。
【００２９】
このとき、θ１１の角度およびθ２１の角度は、いずれも、０°よりも大きい。たとえば、θ１１の角度は２°であり、第二断面（II）におけるθ２１の角度は５°であり、第二断面（Ｉ）におけるθ２１の角度は１４°である。また、θ１２の角度は、θ２２の角度よりも大きい。たとえば、θ１２の角度は４４°であり、第二断面（II）におけるθ２２の角度は４１°であり、第一断面（Ｉ）におけるθ２２の角度は３２°である。なお、第一突起１７２の湾曲する方向において、第一突起１７２の頂角の角度は、一定である。すなわち、θ１１とθ１２の和は、θ２１とθ２２の和に等しい。
【００３０】
また、第一傾斜面１７４と第二傾斜面１７６との間には、稜線１７８が形成されている。稜線１７８は、図４Ａに示されるように、上記第二断面（Ｉ）に沿って見たときに互いに平行であり、かつ、中心軸ＣＡに直交する直線Ｌ２に対して斜めである。たとえば、上記第一断面を示す図４Ａにおいて、直線Ｌ２に対して稜線１７８がなす角θ４の角度は１０°である。
【００３１】
さらに、第一レンズ領域１０は、第一突起１７２よりも上記扇形における中心側に、第一屈折部１７３を含む。第一屈折部１７３の形状は、第二レンズ領域５０側に中心軸が１０°傾いている略円錐体を、当該略円錐体の頂点を残して第二レンズ領域５０の上記扇形で鉛直方向に切り欠いた形状である。したがって、平面視したときに、第一屈折部１７３の頂点１７５は、第一屈折部１７３内にある。すなわち、頂点１７５は、中心軸ＣＡ上になく、第一レンズ領域１０の扇形の二辺の交点とは一致しない。
【００３２】
また、頂点１７５は、上記第一断面に含まれている。このように、第一レンズ領域１０は、平面上に屈折部および当該屈折部を囲む反射型フレネルレンズ部を備える光束制御部材（以後、「プレ光束制御部」とも言う）を、あたかも、１０°傾け、かつ、当該プレ光束制御部の上記屈折部の頂点が平面視したときに当該プレ光束制御部内に残るように、第二レンズ領域５０の上記扇形で鉛直方向に切り欠いたような構造を有している。プレ光束制御部の屈折部および反射型フレネルレンズ部が形成される上記の平面は、プレ光束制御部の平面視形状を図示するための正投影面に平行な面である。たとえば、当該平面は、有底の円筒容器の内底面上に上記プレ光束制御部を配置して、光束制御部材１６０のごとき構造物を構築したときの、上記内底面に該当する。
【００３３】
したがって、第一レンズ領域１０の第一突起１７２の平面視形状（弧）の曲率中心は、頂点１７５を通る前述した略円錐体の中心軸にあり、平面視したときに第一レンズ領域１０内にある。このように、第一レンズ領域１０の第一突起１７２および第一屈折部１７３は、いずれも、水平面、例えば、出射領域１６４、に対して斜めに配置されており、第一突起１７２の稜線１７８も水平面に対して斜めとなるように形成されている。
【００３４】
第二レンズ領域５０は、発光素子１４０から出射された光の他の一部を入射させ、入射した光を出射領域１６４に、例えば反射などにより、向かわせる。本実施の形態では、第二レンズ領域５０は、平面視形状が弧状の複数の第二突起１８２を含む。第二突起１８２は、発光素子１４０から出射された光の他の一部を入射させる第三傾斜面１８４と、第三傾斜面から入射した光を出射領域１６４に向けて反射させる第四傾斜面１８６とを有する。
【００３５】
第二突起１８２の平面視形状は、いずれも、中心軸ＣＡを第二突起１８２の平面視形状の曲率中心とする円弧状である。上記第二断面（Ｉ）を示す図３Ｄおよび図４Ｂにおいて、いずれの第二突起１８２の稜線も、水平な直線である。各第二突起１８２の底辺は、それぞれ、当該底辺のいずれの位置においても、当該底辺から出射領域１６４までの距離が一定である。このように、第二レンズ領域５０の第二突起１８２は、水平面、例えば、出射領域１６４、に対して平行に、当該水平面上に配置されており、第二突起１８２の稜線も、当該水平面上に位置している。
【００３６】
第二レンズ領域５０は、第二突起１８２よりも上記扇形における中心側に、第二屈折部１８３をさらに含む。第二屈折部１８３の形状は、円錐を、その頂点から中心軸に沿って、第一レンズ領域１０における扇形で切り欠いた形状である。そして上記円錐の上記中心軸は、中心軸ＣＡに一致する。このように、第二レンズ領域５０の第二突起１８２および第二屈折部１８３は、いずれも、水平面、例えば、出射領域１６４、に対して平行に配置されている。
【００３７】
第一屈折部１７３と第二屈折部１８３は、入射領域１６２の中心部で合体している。上記合体した屈折部は、一体的に成形されている。当該屈折部の表面の形状は、特に限定されず、平面、球面または非球面を含んでいてもよい。また、上記合体した屈折部は、屈折型フレネルレンズであってもよい。
【００３８】
出射領域１６４は、入射領域１６２から入射した光を出射させる領域である。出射領域１６４は、発光素子１４０とは反対側の、被照射面側に形成された平面である。本実施の形態において、出射領域１６４は、発光素子１４０の光軸ＬＡと直交するように形成されている。
【００３９】
筒部１６６は、光束制御部材１６０を発光素子１４０に対して位置決めする部材である。本実施の形態では、筒部１６６は、入射領域１６２および出射領域１６４が形成される、光制御機能を有する部分と一体に形成されている。筒部１６６は、光束制御部材１６０の外周部に位置し、略円筒形状に形成されている。筒部１６６は、入射領域１６２および出射領域１６４が形成された円形の板状部を支持すると共に、入射領域１６２に入射しなかった発光素子１４０からの光を外部に透過させる。筒部１６６の下端部には、基板１２０に対する設置面積を広くするフランジ部１６７が設けられている（図３参照）。フランジ部１６７は、筒部１６６の一端から径方向に延在した環状板である。
【００４０】
フランジ部１６７は、三つのボス１６８を有している。ボス１６８は、フランジ部１６７の平面から突出する円柱体であり、フランジ部１６７の外周に沿って、Ｃ−Ｃ線上の二点と、Ｄ−Ｄ線上の一点の計三箇所に配置されている。このように、ボス１６８は、Ｄ−Ｄ線上では非対称に配置されている。ボス１６８は、光束制御部材１６０を発光素子１４０に対して設置する際に、第二レンズ領域５０を被照射面１９２側に配置するなど、特定の向きに光束制御部材１６０を迷わずに設置することを可能としている。
【００４１】
［光束制御部材の光学特性］
光束制御部材１６０は、基本的には、斜めに配置されたときに、より遠方に光を出射するために、第一レンズ領域１０および第二レンズ領域５０に入射した光を、出射領域１６４から、光軸ＬＡよりも第一レンズ領域１０側に出射するように構成されている。
【００４２】
特に、前述したように、第一レンズ領域１０は、第一突起１７２および第一屈折部１７３を有する。第一突起１７２は、発光素子１４０から出射された光の一部を光束制御部材１６０内に入射させ、入射した光を出射領域１６４に向けて反射させる。
【００４３】
光束制御部材１６０の上記第一断面を示す図４Ａにおいて、第一突起１７２は、例えば、前述したプレ光束制御部の反射型フレネルレンズ部を第二レンズ領域５０側に１０°の角度で傾けられた状態で配置されている。よって、第一傾斜面１７４の傾斜角は、より垂直に近くなる（θ１１はより小さくなる）。このため、第一断面に沿う方向（図３ＢのＣ−Ｃ線に沿う方向）では、第一傾斜面１７４には、光軸ＬＡに対してより大きな角度で発光素子１４０から出射した光も入射しやすい。また、第一断面に沿う方向では、第二傾斜面１７６の傾斜角は、より水平に近くなる（θ１２はより大きくなる）。このため、第一傾斜面１７４から入射した光は、第二傾斜面１７６においてより大きな反射角で反射する。その結果、出射領域１６４から、光軸ＬＡに対してより大きな角度で出射される。このように、第一突起１７２は、第一断面に沿う方向では、発光素子１４０の出射光をより一層入射させやすく、かつ光軸ＬＡに対してより一層大きな出射角で出射領域１６４から出射させている。これは、傾けて配置されたプレ光束制御部の反射型フレネルレンズ部に特徴的な効果である。
【００４４】
一方、上記第二断面（Ｉ）では、第一突起１７２は、プレ光束制御部を第二レンズ領域５０側に１０°の角度で傾けたときの反射型フレネルレンズ部に相当するが、プレ光束制御部が傾けられる前の反射型フレネルレンズ部に近い状態で配置される。これは、第二断面（Ｉ）が、プレ光束制御部を１０°傾ける際の回転軸に平行であり、かつ第二断面（Ｉ）から当該回転軸までの距離が近いので、プレ光束制御部を傾けたことによる第一傾斜面１７４の傾斜角θ２１および第二傾斜面の傾斜角θ２２の角度変化の影響が小さいためである。よって、第一突起１７２は、上記反射型フレネルレンズ部として通常設計されるように、第一傾斜面１７４からの入射光を第二傾斜面１７６で反射させ、光軸ＬＡに対する所望の角度で出射領域１６４から出射させる。これは、通常のように水平に配置されたプレ光束制御部の反射型フレネルレンズ部による効果と同等である。
【００４５】
さらに、第一屈折部１７３は、平面視したときにその頂点１７５を含む。したがって、光束制御部材１６０は、発光素子１４０に対して正対するプレ光束制御部の屈折部の中心を含む大部分を、第二レンズ領域５０側に１０°の角度で傾いているものの、含む。このため、第一屈折部１７３には、光軸ＬＡに沿ってまたは光軸ＬＡに対して小さな角度で発光素子１４０から出射された光の多くが入射する。そして、第一屈折部１７３に入射した光は、第一屈折部１７３の設計された光学特性によって、出射領域１６４から、光軸ＬＡに対して所望の大きな角度で出射される。これは、傾けられたプレ光束制御部の屈折部の特定の配置に特徴的な効果である。
【００４６】
第一レンズ領域１０は、上記回転軸近傍の第一突起１７２が示す通常の水平配置のプレ光束制御部に近い光学特性から、上記回転軸から離れた第一突起１７２（例えば第一断面における第一突起１７２）が示す傾けられたプレ光束制御部の光学特性までの種々の光学特性を、連続的に呈する。このような特殊な光学特性を呈する第一レンズ領域１０は、平面視された光束制御部材１６０において、本実施の形態では第二レンズ領域５０より広い面積を占めている。このため、第二断面（Ｉ）の方向においては光を広げすぎず、第一断面において遠方に向けて出射する光の出射量を多くすることが可能になり、後述する照明装置１９０において、被照射面１９２を十分な照度で均一に照らすことができる、と考えられる。
【００４７】
［変形例］
光束制御部材１６０は、前述した光学特性を有する範囲において、前述した構成要件を適宜に設定することが可能である。
【００４８】
たとえば、第一レンズ領域１０の平面視形状（扇形）の中心角は、プレ光束制御部の傾斜角度や発光装置１００の配列のピッチなどによって決められる。当該中心角が小さすぎると、発光装置１００から遠方の被照射面１９２において十分な照度を得られないことがあり、当該中心角が大きすぎると、第一断面における第一突起１７２の高さをより大きくすることが可能になるが、第一突起１７２の両端部およびその近傍の部分を光束制御に十分な大きさにすることができないことがあり、出射領域１６４からの光の出射方向の適切な制御が難しくなることがある。このような観点から、少なくとも第一レンズ領域１０の中心角は３０°以上３００°以内であることが好ましい。
【００４９】
また、本実施の形態では、第一レンズ領域１０の形状および第二レンズ領域５０の形状は、いずれも、中心軸ＣＡおよびＣ−Ｃ線を含む平面（「第一平面」とも言う）に対して面対称の形状である。光束制御部材１６０の出射領域１６４は、中心軸ＣＡに直交する平面（すなわち、当該第一平面に対して面対称）であるため、光束制御部材１６０は、第一平面に対して対称な光束を出射する。光束制御部材１６０では、上記第一平面で二分した出射光束の集光具合や出射量のバランスを変えるために、第一レンズ領域１０の形状および第二レンズ領域５０の形状の少なくとも一方が、上記第一平面に対して非対称な形状であってもよい。
【００５０】
また、第一レンズ領域１０における第一突起１７２の数は、光束制御部材１６０に要求されるサイズ（径サイズや厚みなど）によって光束制御機能を発揮するのに十分な数に決められる。第一突起１７２の数が少なすぎると、光束制御部材１６０の要求される厚みを満たすことができず、第一突起１７２の数が多すぎると、製造が困難になり、第一突起１７２を精度よく形成することができない。また、第一レンズ領域１０では、発光素子１４０の出射光に対する集光効率の観点から、第一突起１７２は、大きいほど外側に配置される。第二レンズ領域５０における第二突起１８２の数も、第一突起１７２と同じ理由による最適値に決められる。また、第二突起１８２も、大きいほど外側に配置される。
【００５１】
また、第一突起１７２における第一傾斜面１７４の傾斜角度（第一断面であればθ１１）は、生産性の観点から、０°より大きい角度であることがより好ましい。当該傾斜角度が０°より小さいとアンダーカット部が形成され、成形時に製品の金型からの取出しが困難になり、当該傾斜角度が大きすぎると、第一傾斜面１７４からの入射光を第二傾斜面１７６へ向かわせることができない。複数の第一突起１７２において、上記傾斜角度θ１１およびθ２１は、同一であってもよいし、異なっていてもよい。
【００５２】
また、第一突起１７２における第二傾斜面１７６の傾斜角度（第一断面であればθ１２）は、第一傾斜面１７４からの入射光を所期の方向へ全反射させることができる範囲から決められる。複数の第一突起１７２において、上記傾斜角度θ１２およびθ２２は、同一であってもよいし、異なっていてもよい。
【００５３】
また、光束制御部材１６０の第二断面（Ｉ）における、第一突起１７２や第二突起１８２などの上記突起で形成される部分（以下、「第二断面（Ｉ）における反射フレネル」とも言う）の形状は、発光装置１００の配列方向における発光装置１００間の距離（ピッチ）によって決められる。すなわち、発光装置１００のピッチによって、発光装置１００一灯当たりに求められる光束制御部材１６０の集光能力が設定される。これに合わせて、例えば、第一レンズ領域１０の扇形の中心角度が、所期の集光能力を発揮できる角度に決められる。上記第二断面（Ｉ）における反射フレネルは、上記実施の形態のように第一レンズ領域１０で構成してもよく、プレ光束制御部の傾斜に影響されない第二レンズ領域５０で構成してもよく、さらに第一レンズ領域１０および第二レンズ領域５０とは別の第三レンズ領域で構成してもよい。
【００５４】
第一レンズ領域１０の上記第二断面（Ｉ）における反射フレネルでは、第一断面における第一突起１７２が被照射面１９２において発光装置１００から離れた位置を照射するに適当な角度となるまでプレ光束制御部が傾けられたとしても、傾斜させる際の回転軸に近い位置であれば、上記第二断面（Ｉ）における反射フレネルの形状は、プレ光束制御部での設計値から大きく変化することはない。また、上記第二断面（Ｉ）における反射フレネルが第二レンズ領域５０で構成される場合には、被照射面１９２における発光装置１００の近傍（例えば、発光装置１００の直下）の明るさや、発光装置１００一灯当たりに求められる光束制御部材１６０の横方向（上記配列方向）への集光度合（隣接する発光装置１００による被照射領域との干渉度合）が考慮されて、当該部分の形状が決められる。上記第二断面（Ｉ）における反射フレネルが第三レンズ領域で構成される場合には、発光装置１００一灯当たりに求められる光束制御部材１６０の上記横方向への集光度合が主に考慮されて、当該部分の形状が決められる。この場合、光束制御部材１６０の設計の自由度がさらに高まる。
【００５５】
また、第一突起１７２におけるθ４の角度（第一突起１７２の稜線１７８が直線Ｌ２に対してなす角度）は、上記集光効率の観点から、３〜３０°であることが好ましく、６〜１５°であることがより好ましい。θ４の角度が小さすぎると、出射領域１６４からの光の出射角度が小さくなり、被照射面１９２における遠方の照度が低下することがあり、θ４の角度が大きすぎると、出射領域１６４から出射される光の光軸ＬＡに対する出射角度が大きくなるため被照射面１９２に向かう光が減少し、被照射面１９２における所期の照度が得られないことがある。複数の第一突起１７２において、θ４は、同一であってもよいし、異なっていてもよい。
【００５６】
また、例えば、第一断面における第二突起１８２の形状は、被照射面１９２における発光装置１００近傍を効率的に照らすように従来知られている反射フレネルの形状として適当な形状に設計される。複数の第二突起１８２において、第三傾斜面１８４の傾斜角度および第四傾斜面１８６の傾斜角度は、いずれも、同一であってもよいし、異なっていてもよい。
【００５７】
また、出射領域１６４は、平らな面であってもよいし、入射領域１６２によって制御された配光を大きく崩すことなく被照射面１９２の照度ムラを小さくするために、粗面化された面であってもよい。粗面化された出射領域１６４の表面粗さは、十点平均粗さＲｚＪＩＳ、算術平均粗さＲａおよび最大高さ粗さＲｚ（いずれもＪＩＳ  Ｂ０６０１：２０１３に規定される粗さパラメータ）などで規定することができる。たとえば、被照射領域の外形を崩さない程度の出射領域１６４の十点平均粗さＲｚＪＩＳは、３μｍ以下が好ましく、かつ適度な拡散効果を得るためには１μｍ以上が好ましい。
【００５８】
なお、本実施の形態では、前述したように、第二レンズ領域５０は、第一レンズ領域１０と同様に、突起１８２によって、発光素子１４０から出射された光の他の一部を入射させ、入射した光を出射領域１６４に向けて反射させる手段とされている。第二レンズ領域５０は、発光素子１４０から出射された光の他の一部を、反射以外の別の方法、例えば屈折、によって出射領域１６４に向ける手段であってもよい。
【００５９】
また、光束制御部材１６０は、前述した光学特性を有する範囲において、さらなる構成要件を含んでいてもよい。
【００６０】
たとえば、各第一突起１７２において、第一傾斜面１７４と第二傾斜面１７６とは、連続していなくてもよい。この場合、第一傾斜面１７４と第二傾斜面１７６との間に別の面が形成される。第一傾斜面１７４と第二傾斜面１７６との間に別の面を設け、鋭角部分（稜線部分）を無くすことで、製造性を向上させることができる。
【００６１】
第一傾斜面１７４の母線（第一突起１７２の断面（中心軸ＣＡを含む光束制御部材１６０の断面）における第一傾斜面１７４）は、直線であってもよいし、曲線であってもよい。発光素子１４０の光軸ＬＡに対する第一傾斜面１７４の角度（前述したθ１１）は、第一傾斜面１７４から入射した光を第二傾斜面１７６側に屈折させることができれば特に限定されず、発光素子１４０の大きさや位置などに応じて適宜設定されうる。なお、第一傾斜面１７４の母線が曲線の場合、「第一傾斜面１７４の角度」とは、第一傾斜面１７４の母線の接線の角度をいう。同様に、前述した第二傾斜面１７６、第三傾斜面１８４および第四傾斜面１８６においても、上記の観点から、これらの傾斜面の母線は、それぞれ、直線であってもよいし曲線であってもよい。
【００６２】
また、入射領域１６２は、第一レンズ領域１０および第二レンズ領域５０以外の、例えば平面視形状が扇形である他のレンズ領域、をさらに含んでいてもよい。当該他のレンズ領域は、フレネルレンズ部を含んでいてもよいし、含んでいなくてもよい。前述の第三レンズ領域は、他のレンズ領域の一例である。
【００６３】
［発光装置および照明装置の光学特性］
図５は、発光装置１００の出射方向の照度を相対強度で示すグラフである。図６Ａは、照明装置１９０における、片側に配置された発光装置１００の出射光の光路を、出射光の主なベクトルが存在する領域として概略的に示す図であり、図６Ｂは、照明装置１９０における、両側に配置された発光装置１００の出射光の光路を、出射光の主なベクトルが存在する領域として概略的に示す図である。図７Ａは、照明装置１９０の、発光装置１００の高さがｈ１となる位置の被照射面１９２の照度分布を示す図であり、図７Ｂは、照明装置１９０の、発光装置１００の高さがｈ２となる位置の被照射面１９２の照度分布を示す図である。
【００６４】
なお、図７Ａおよび図７Ｂでは、対向する発光装置１００の一方の発光装置１００の直下の点から４５０ｍｍの点を基準位置（Ｏ）とし、当該基準位置を中心として、Ｘ方向およびＹ方向に±８００ｍｍの範囲内で照度（Ｌ：ｌｕｘ）をシミュレーションによって求めた。前述したように、Ｘ方向は、発光装置１００が配列する方向であり、Ｙ方向は、上記対向方向である。また、図１１Ａ、図１１Ｂ、図１２Ａおよび図１２Ｂでは、一方の発光装置１００の直下の点を基準位置（Ｏ）とし、当該基準位置からのＹ方向の所定の距離（Ｄ：ｍｍ）の照度（Ｌ：ｌｕｘ）をシミュレーションによって求めた。
【００６５】
光束制御部材１６０は、図５に示されるように、光軸ＬＡよりも被照射面１９２側にも一部光を出射するが、より多くの光を、光軸ＬＡよりも被照射面１９２とは反対側に、比較的広い出射角度の範囲（例えば、光軸ＬＡに対して約１５〜３０°）で出射する。この広範囲で光束制御部材１６０が出射する光は、出射光のピーク値と同等の強さを有している。このように、発光装置１００は、光軸ＬＡ近傍の出射角度の光が被照射面の入射する位置からより遠方まで、ピーク値に近い強い光を出射する。
【００６６】
その結果、図６Ａに示されるように、発光装置１００からの出射光の、光軸ＬＡよりも反被照射面側への出射方向をベクトルで表示したときに、当該ベクトルで表示された当該出射光は、被照射面１９２における、光軸ＬＡと被照射面１９２との交点よりもより遠くの広い部分まで到達する。当該ベクトルには、図５に示される、相対強度がピーク値に相当する強い光のベクトルも、前述した比較的広い出射角度の範囲で含まれる。このため、照明装置１９０では、被照射面１９２は、より遠い部分がより広く十分な照度で均一に照らされる。
【００６７】
また、図６Ｂに示されるように、発光装置１００を両側に配置すると、被照射面１９２のより広い部分で均一かつ強い照度で照らされる照明装置１９０が構成される。たとえば、両側の発光装置１００のそれぞれは、図６Ｂに示されるように、発光装置１００の高さがｈ１となる被照射面１９２では、被照射面１９２を半分ずつ照らす。その結果、図７Ａに示されるように、被照射面１９２の全体が十分な照度で均一に照射される。
【００６８】
また、両側の発光装置１００のそれぞれは、図６Ｂに示されるように、発光装置１００の高さがｈ２となる被照射面１９２では、互いの発光装置１００の出射光の被照射面１９２における到達領域が、被照射面１９２の中央部で重なるように、被照射面１９２を照らす。その結果、図７Ｂに示されるように、被照射面１９２の全体が十分な照度でより一層均一に照射される。
【００６９】
ここで、前述した第一突起を有さない比較用の光束制御部材の光学特性を検証する。図８は、比較用の光束制御部材８００の構造を示す図である。図８Ａは、光束制御部材８００の平面図であり、図８Ｂは、光束制御部材８００の底面図であり、図８Ｃは、図８ＢにおけるＣ−Ｃ線に沿っての光束制御部材８００の断面図であり、図８Ｄは、図８ＢにおけるＤ−Ｄ線に沿っての光束制御部材８００の断面図である。
【００７０】
光束制御部材８００は、平面視したときに、入射領域に形成されている突起８０２の形状が全て円弧状であり、第一断面におけるθ１１の角度と第二断面（Ｉ）におけるθ２１の角度とが同じであり、第一断面におけるθ１２の角度と第二断面（Ｉ）におけるθ２２の角度とが同じである。また、平面視したときの第一レンズ領域８１０における扇形の中心、第二レンズ領域８２０における扇形の中心、およびそれぞれのレンズ領域における突起の曲率中心が、いずれも、中心軸ＣＡと重なっている。さらに、第一レンズ領域８１０および第二レンズ領域８２０の突起８０２の全ての稜線は、光軸ＬＡと直交する直線（前述の直線Ｌ２）と平行であり、第一レンズ領域８１０および第二レンズ領域８２０のいずれも、直線Ｌ２に対して平行に（水平に）形成されている。これらの点で、光束制御部材８００は、前述した光束制御部材１６０と主に相違している。
【００７１】
図９は、光束制御部材８００を装着した比較用の発光装置の出射方向の照度を相対強度で示すグラフである。図１０Ａは、比較用の照明装置の、発光装置を高さがｈ１となる位置の被照射面の照度分布を示す図であり、図１０Ｂは、比較用の照明装置の、発光装置を高さがｈ２となる位置の被照射面の照度分布を示す図である。図１０Ａおよび図１０Ｂでは、対向する比較用の発光装置の一方の発光装置の直下の点から４５０ｍｍの点を基準位置（Ｏ）とし、当該基準位置を中心として、Ｘ方向およびＹ方向に±８００ｍｍの範囲内で照度（Ｌ：ｌｕｘ）をシミュレーションによって求めた。
【００７２】
光束制御部材８００は、図９に示されるように、光軸ＬＡよりも被照射面側にも一部光を出射するが、より多くの光を、光軸ＬＡよりの反被照射面側に出射する点で、光束制御部材１６０と同じである。しかしながら、光束制御部材８００では、ピーク値相当の照度の光の出射角の範囲が、光束制御部材１６０のそれに比べて明らかに狭い。また、光軸ＬＡよりも反被照射面側に向かう出射角（約２０°）が、光束制御部材１６０のそれに比べて明らかに小さい。このように、光束制御部材８００は、より遠方に、より広い範囲を、十分強度の光で照射する点で、光束制御部材１６０よりも劣る。
【００７３】
その結果、図１０Ａに示されるように、発光装置までの高さがｈ１となる位置の被照射面では、両側の発光装置の出射光の被照射面における到達領域が十分に重ならず、被照射面に照度のムラを生じさせている。また、図１０Ｂに示されるように、発光装置までの高さがｈ２となる位置の被照射面でも、それぞれの発光装置の出射光の被照射面における到達領域での照度の強弱の差が大きく、被照射面１９２に照度のムラを生じさせている。
【００７４】
図１１は、本実施の形態の照明装置と比較用の照明装置における被照射面の照度分布を示す図である。図１１Ａは、照明装置１９０および比較用照明装置における、発光装置を高さｈ１に配置したときの被照射面のＹ方向の照度分布を示す図であり、図１１Ｂは、照明装置１９０および比較用照明装置における、発光装置を高さｈ２に配置したときの被照射面のＹ方向の照度分布を示す図である。なお、図１１中、「Ｅ１」（実線）は、照明装置１９０を意味し、「ＣＥ１」（短破線）は、比較用の照明装置を意味する。
【００７５】
図１１Ａおよび図１１Ｂから明らかなように、照明装置１９０は、比較用の照明装置と比べたときに、発光装置の高さに関わらず、被照射面の照度が同等であり、被照射面の照度がより均一である。
【００７６】
図１２は、光束制御部材１６０の第一レンズ領域１０の、出射領域１６４の平面に対する第二レンズ領域５０側への傾き（稜線１７８の傾き）を変えたときの被照射面１９２のＹ方向の照度分布を示す図である。図１２Ａは、照明装置における、第一レンズ領域１０の当該傾きが異なる発光装置の被照射面１９２からのそれぞれの高さをｈ１としたときの被照射面１９２のＹ方向の照度分布を示す図であり、図１２Ｂは、照明装置における、第一レンズ領域１０の上記傾きが異なる発光装置の被照射面１９２からのそれぞれの高さをｈ２としたときの被照射面１９２のＹ方向の照度分布を示す図である。図１２中、「Ｅ１」（実線）は、第一レンズ領域１０の上記傾きが１０°である照明装置を意味し、「Ｅ２」（中破線）は、上記傾きが６°である照明装置を意味し、「Ｅ３」（長破線）は、上記傾きが１５°である照明装置を意味し、「Ｅ４」（一点鎖線）は、上記傾きが３０°である照明装置を意味する。なお、「ＣＥ１」（短破線）における上記傾きは、０°である。
【００７７】
図１２Ａに示されるように、発光装置の設置高さがｈ１のときは、照明装置Ｅ１〜Ｅ４は、いずれも、照明装置ＣＥ１に比べて、被照射面の照度が同等であり、かつより一層均一であった。また、上記傾きの角度の範囲（６〜３０°）において、当該傾きが大きくなるにつれて、被照射面の照度の均一性がより一層向上した。これは、発光装置から被照射面１９２までの距離が近いほど、第一レンズ領域１０における第一傾斜面１７２による、発光素子１４０の出射光に対する集光効果がより顕著に現れるため、と考えられる。また、図１２Ｂに示されるように、発光装置の設置高さがｈ２のときは、照明装置Ｅ１〜Ｅ４は、いずれも、照明装置ＣＥ１に比べて、被照射面の照度がさらに近くなり、かつ当該照度の均一性がより一層向上した。
【００７８】
［効果］
光束制御部材１６０は、第一レンズ領域１０に第一突起１７２を含み、第一突起１７２のθ１１およびθ２１は、いずれも、０°よりも大きく、第一突起１７２のθ１２は、θ２２よりも大きい。このため、第一突起１７２に入射した光を、光軸ＬＡに対して反被照射面側により大きな角度の向きで、出射領域１６４から出射することが可能である。よって、被照射面１９２に対して斜めに配置されたときに、発光素子１４０から入射した光を、出射領域１６４から、被照射面１９２のより遠くに向けて均一に出射することができる。
【００７９】
また、第一レンズ領域１０の扇形の中心角は、１８０°よりも大きく、第二レンズ領域５０の扇形の中心角は、１８０°よりも小さいことが、被照射面１９２のより遠くに向かう光の強度を高める観点からより一層効果的である。
【００８０】
また、第一レンズ領域１０の形状および第二レンズ領域５０の形状は、いずれも、上記第一平面に対して面対称の形状であることが、当該第一平面に対して対称に光を出射する観点からより一層効果的である。
【００８１】
また、第一突起１７２の湾曲する方向において、第一突起１７２の頂角の角度は、一定であることが、光軸ＬＡから反被照射面側により大きな角度までの出射角の範囲で、ピーク値相当の強い光を出射領域１６４から出射させる観点からより一層効果的である。
【００８２】
また、第二レンズ領域５０が複数の第二突起１８２を有することが、発光素子１４０の出射光を、光軸ＬＡよりも反被照射面側に大きな角度で出射領域１６４から出射するようにもれなく集光する観点からより一層効果的である。
【００８３】
また、第二レンズ領域５０の第二突起１８２が出射領域１６４に対して平行に配置され、第一レンズ領域１０の第一突起１７２が出射領域１６４に対して斜めに配置されていることが、発光素子１４０から出射された光をもれなく集光し、出射領域１６４から出射される光を光軸ＬＡよりも反被照射面側により大きな出射角で出射させる観点からより一層効果的である。
【００８４】
また、第二レンズ領域５０の第二突起１８２の平面視形状が、中心軸ＣＡを第二突起１８２の曲率中心とする円弧状であり、第一レンズ領域１０の第一突起１７２の曲率中心が、平面視したときの第一レンズ領域１０内にあることが、光軸ＬＡに対して反被照射面側により大きな角度で出射領域１６４から出射される光を強める観点からより一層効果的である。
【００８５】
また、発光装置１００は、光束制御部材１６０および発光素子１４０を有し、発光素子１４０の光軸ＬＡが中心軸ＣＡと一致することから、被照射面１９２に対して斜めに配置されたときに、発光素子１４０からの出射光を、被照射面１９２のより遠くに向けて均一に出射することができる。
【００８６】
また、照明装置１９０が発光装置１００および平面状の被照射面１９２と、を有し、発光装置１００は、発光素子１４０の光軸ＬＡと被照射面１９２とが鋭角に交わり、かつ第一レンズ領域１０よりも第二レンズ領域５０が被照射面１９２に近くなるように配置されていることから、被照射面１９２のより遠くに均一に光が照射される照明装置１９０が提供される。
【産業上の利用可能性】
【００８７】
本発明の光束制御部材、発光装置および照明装置は、平面形状の被照射面に発光素子から出射された光を均一かつ効率的に照射することができる。本発明の発光装置および照明装置は、例えば、植物栽培用の照明やタスクライト（卓上照明）、読書灯など、被照射面に対して斜めの方向から均一な光の照射を要する用途に有用である。
【符号の説明】
【００８８】
１０、８１０  第一レンズ領域
５０、８２０  第二レンズ領域
１００  発光装置
１２０  基板
１４０  発光素子
１６０、８００  光束制御部材
１６２  入射領域
１６４  出射領域
１６６  筒部
１６７  フランジ部
１６８  ボス
１７２  第一突起
１７３  第一屈折部
１７５  頂点
１７４  第一傾斜面
１７６  第二傾斜面
１７８  稜線
１８２  第二突起
１８３  第二屈折部
１８４  第三傾斜面
１８６  第四傾斜面
１９０  照明装置
１９２  被照射面
８０２  突起
ＣＡ  中心軸
ＬＡ  光軸
【図１】
2015018733.tif 000003
【図２】
2015018733.tif 000004
【図３】
2015018733.tif 000005
【図４】
2015018733.tif 000006
【図５】
2015018733.tif 000007
【図６】
2015018733.tif 000008
【図８】
2015018733.tif 000009
【図９】
2015018733.tif 000010
【図１１】
2015018733.tif 000011
【図１２】
2015018733.tif 000012
【図７】
2015018733.tif 000013
【図１０】
2015018733.tif 000014